(57)【要約】【課題】ボンドロックや熱溶着等の緩み止め方法を採用することなく、簡便な方法で緩み止めを可能にしたネジ緩み止め手段を提供すると共に、このネジ緩み止め手段を水位検知器に採用した水位検知器付き排水ポンプを提供すること．【解決手段】ネジ緩み止め手段として、ナット７６と嵌合可能に形成されナット７６を回り止めする周壁部８５と、周壁部８５の下部に形成され、ネジ込む方向に弾性を有する弾性部８４とで構成すると共に、周壁部８５内のネジ部７７の周囲に、ナット７６によって締め付けられる弾性部材７６１を配置したことを特徴とする。【選択図】　　　　図８
2004011776.tif 000002
【特許請求の範囲】
【請求項１】
ナットと嵌合可能に形成されナットを回り止めする周壁部と、該周壁部の下部に形成され、ネジ込む方向に弾性を有する弾性部とで構成すると共に、前記周壁部内のネジ部の周囲に、前記ナットによって締め付けられる弾性部材を配置したことを特徴とするネジ緩み止め手段。
【請求項２】
前記弾性部の下部に形成され、前記ネジ部と一体に形成された多角部と嵌合する多角周壁部で構成したことを特徴とする請求項１に記載のネジ緩み止め手段。
【請求項３】
前記周壁部および前記弾性部を樹脂で構成したことを特徴とする請求項１または請求項２に記載のネジ緩み止め手段。
【請求項４】
前記弾性部は、前記多角部と対向する位置に配置される突起部と、該突起部の周縁に形成され、ネジ込む方向に弾性的に可変する可変部とで構成したことを特徴とする請求項２または請求項３に記載のネジ緩み止め手段。
【請求項５】
前記弾性部材をＯリングで構成したことを特徴とする請求項１ないし請求項５のいずれか１つの請求項に記載のネジ緩み止め手段。
【請求項６】
前記請求項１ないし請求項５のいずれか１つの請求項に記載のネジ緩み止め手段を水位検知器カバーの取付けに用いたことを特徴とする水位検知器。
【請求項７】
前記請求項１ないし請求項５のいずれか１つの請求項に記載のネジ緩み止め手段を水位検知器カバーの取付けに用いた水位検知器を備えることを特徴とする排水ポンプ。
【発明の詳細な説明】
【０００１】
【発明の属する技術分野】
本発明は、ネジにナットを締め付けて固定した際に、ナットの緩みを防止するネジ緩み止め手段、および空気調和機の結露水を室内機から外部に排水する排水ポンプにおいて、ドレンパンに貯留したドレン水の水位を検知する水位検知器に前記ネジ緩み止め手段を採用した空気調和機用排水ポンプに関する。
【０００２】
【従来の技術】
図１３は、従来技術に係る水位検知器付き空気調和機用排水ポンプの全体構成を示す図である。
この水位検知器付き排水ポンプ１は、ＤＣモータ部３とその下側に取り付けられるポンプ部２とによって構成され、水位検知器７は水位検知器用電線７１に接続され、電線７１の端部に水位検知器用コネクタ７２を備えている。水位検知器７は水位検知器取付板７３の端部に設けられた係合部７４より空気調和機用排水ポンプ１に取り付けられる。
ＤＣモータ部３は、例えば、ＤＣステータコアレス型のブラシレスモータと該モ−タを収容可能な偏平形状のモータ本体３１で形成されている。モ−タ本体３１の上下面は２枚の薄板製のカバー３２，３３で覆われている。
【０００３】
ブラケット６は空気調和機用排水ポンプ１を空気調和機の室内機ユニットの天板等につり下げるためのものである。
ポンプ部２を構成するポンプ本体２１には、モータ本体３１の出力軸３４の突出されている方向の端部に吸引口２２が設けられ、この吸引口２２よりもモータ本体３１側の側面に吐出口２３が設けられている。ポンプ本体２１の内部にインペラ（図示しない）が回転可能に配設されて空気調和機用排水ポンプ１が構成されている。
【０００４】
蓋部材２４をポンプ本体２１に取り付けるために、ポンプ本体２１の周壁に上向きの係合爪２５が１８０°間隔で対向配置されている。一方、蓋部材２４には係合爪２５にクリップ係合可能な蓋係合受けが形成されており、これによって蓋部材２４をポンプ本体２１に対して、異なった取付け位置に選択的に固定可能となっている。
蓋部材２４のモータ本体側両側に、後述のホルダー５に対するホルダー嵌合部２４１が１８０°間隔で立設されており、各ホルダー嵌合部２４１には一対の本体係合爪の挿入可能な細溝が形成されている。蓋部材２４の上面には一対のモータガイド３８が立設されており、モータガイド３８にカバー３３に突出形成された凸部３９を嵌入するとき、モータガイド３８の誘導によりモータ部３１はガイドされ、モータの出力軸３４はポンプ部のセンターに自動的に配置されるようになっている。モータガイド３８が凸部３９にガイドしながら接することにより、制振効果を奏する。また、モータの出力軸３４には水切り板３５が取り付けられている。
【０００５】
上カバー３２は、その上面のほぼ全面が板状のホルダー部５１で覆われており、ホルダー部５１の左右両側縁部に、一対の本体係合爪が下向きに突設され、さらに、ホルダー部５１の左右両側で底縁部に弾性係合部が形成されている。
【０００６】
このように、モータ本体３１はモータガイド３８の誘導によりモータの出力軸３４はポンプ部２のセンタ−に自動的に軸芯合わせが行われると共に、ホルダー５の一対の本体係合爪をポンプ本体２１に形成されているホルダー嵌合部２４１に挿入することにより、モータ本体３１とポンプ本体２１との位置合わせが自動的に行われるようになっている。このように構成することによって、空気調和機用排水ポンプの組み立て工程において、ボルト等の固定具が不要となり、組み立て工程の簡素化と軽量化が図られる。
【０００７】
また、水位検知器７は水位検知器取付板７３の端部に設けられた係合部７４によって、空気調和機用排水ポンプ１の蓋部材２４のモータ本体側両側に立設されているホルダー嵌合部２７１に係合して一体に構成される。
【０００８】
係合部７４は、図１４（ａ）の平面図、（ｂ）の正面図、（ｃ）の側面図に示すように、舌状部７４１と舌状部７４１の両側に立設されたコ字状係合部７４２と舌状部７４１の先端側に設けられた爪部７４３とからなり、取付板７３に連接されている。爪部７４３は舌状部７４１から切り起されて上方に突出されている。
【０００９】
水位検知器７側の係合部７４と空気調和機用排水ポンプ１の蓋部材２４のホルダー嵌合部２４１とを一体に構成するときは、係合部７４の舌状部７４１をホルダー嵌合部２４１に沿って爪部７４３を押圧しながら図示矢印に示すように摺動させ、ホルダー嵌合部２４１の上端部を爪部７４３が乗り越えると、爪部７４３が弾発してホルダー嵌合部２４１の上端部に係合して係合部７４がホルダー嵌合部２４１に係合される。
【００１０】
係合された水位検知器７側を空気調和機用排水ポンプ１から離脱するには、係合部７４を上方へ持ち上げ爪部７４３をホルダー嵌合部２４１の上端部から離脱させ、係合部７４を下方へ引き下げることにより簡単に離脱することができる。また、水位検知器７からは水位検知器用電線７１が延び、端部に水位検知器用コネクタ７２が取り付けられており、水位検知器７は、六角ナット７６をネジ部７７にねじ込んで六角部７５との間で水位検知器取付板７３を挟持して、水位検知器７を水位検知器取付板７３に取付けている。
【００１１】
ところで、上記の説明においては、水位検知器７を空気調和機用排水ポンプ１に用いる場合について説明したが、水位検知器は、水位の検知のために様々な分野で利用されており、また用途によっては、振動が大きかったり、使用雰囲気温度の範囲が広い場合には、水位検知器を固定しているネジが緩み、水位検知器の位置が本来の動作位置からずれてしまう問題があった。
【００１２】
従来、ネジの緩みを防止する方法としては、図１５に示すように、六角ナット７６をネジ部７７にねじ込んだ後に、六角ナット７６とネジ部７７間にボンドを塗布して、六角ナット７６の緩みを防止する方法や、図１６に示すように、六角ナット７６をネジ部７７にねじ込んだ後に、六角ナット７６とネジ部７７間を半田ゴテによって固定して、六角ナット７６の緩みを防止する方法や、図１７に示すように、六角ナット７６をばね座金７８を介在させてネジ部７７にねじ込むことによって、六角ナット７６の緩みを防止する方法や、図１８に示すように、２個の六角ナット７６，７６を用いてネジ部７７にねじ込むことによって、六角ナット７６の緩みを防止する方法や、図１９に示すように、六角ナット７６をばねＯリング（回り止め）７９を介在させてネジ部７７にねじ込むことによって、六角ナット７６の緩みを防止する方法等が知られている。
【００１３】
【発明が解決しようとする課題】
しかし、従来のネジの緩み止め方法は、上記に示すごとく、ボンド（いわゆるネジ止め接着剤）や熱溶着、ばね座金、ダブルナット等による方法であり、これでは部品・部材・装置が増える問題があり、またそれらの管理も大変であった。
【００１４】
また、簡易的には、上記のごとく、Ｏリングやゴムシートを挟んで緩み止めする方法もあるが、これだけでは、締付状態の管理や温度変化等で緩んでしまい、Ｏリング等をネジのナットの下に座金のように挟む場合は、締付トルクによってＯリングがねじれを起こしたり、切れてしまったりして、作業性が悪かった。
【００１５】
また、水位検知器は、耐薬品性の良い材料を使用条件として要求されているため、ボンドで固定する等の方法は採用できなかった。
【００１６】
本発明は、上記の従来の問題点に鑑み、ボンドロックや熱溶着等の緩み止め方法を採用することなく、簡便な方法で緩み止めを可能にしたネジ緩み止め手段を提供すると共に、このネジ緩み止め手段を水位検知器に採用した水位検知器付き排水ポンプを提供することにある。
【００１７】
【課題を解決するための手段】
本発明は、上記の課題を解決するために、次のような手段を採用した。
【００１８】
第１の手段は、ネジ緩み止め手段として、ナットと嵌合可能に形成されナットを回り止めする周壁部と、該周壁部の下部に形成され、ネジ込む方向に弾性を有する弾性部とで構成すると共に、前記周壁部内のネジ部の周囲に、前記ナットによって締め付けられる弾性部材を配置したことを特徴とする。
【００１９】
第２の手段は、第１の手段において、前記弾性部の下部に形成され、前記ネジ部と一体に形成された多角部と嵌合する多角周壁部で構成したことを特徴とする。
【００２０】
第３の手段は、第１の手段または第２の手段において、前記周壁部および前記弾性部を樹脂で構成したことを特徴とする。
【００２１】
第４の手段は、第２の手段または第３の手段において、前記弾性部は、前記多角部と対向する位置に配置される突起部と、該突起部の周縁に形成され、ネジ込む方向に弾性的に可変する可変部とて構成したことを特徴とする。
【００２２】
第５の手段は、第１の手段ないし第４の手段のいずれか１つの手段において、前記弾性部材をＯリングで構成したことを特徴とする。
【００２３】
第６の手段は、水位検知器として、第１の手段ないし第５の手段のいずれか１つの手段に記載のネジ緩み止め手段を水位検知器カバーの取付けに用いたことを特徴とする。
【００２４】
第７の手段は、排水ポンプとして、第１の手段ないし第５の手段のいずれか１つの手段に記載のネジ緩み止め手段を水位検知器カバーの取付けに用いた水位検知器を備えることを特徴とする。
【００２５】
【発明の実施の形態】
本発明の一実施形態を図１ないし図１２を用いて説明する。
【００２６】
図１ないし図３は、本実施形態に係る水位検知器付き排水ポンプの全体構成を示す図であり、図１はその平面図、図２はその正面図、図３はその底面図である。
これらの図において、８０は水位検知器７の上部においてネジ止めされて水位検知器７に取付けられる水位検知器カバー、８１は水位検知器カバー８０の側部に一体に設けられ、水位検知器カバー８０を空気調和機用排水ポンプ１のポンプ部２に取付けるための取付部である。
なお、その他の構成および動作は図１３に示した同符号の構成に略対応するので説明を省略する。
【００２７】
図４は、水位検知器カバー８０を水位検知器７に取付ける部分を分解して示した拡大図である。
同図に示すように、水位検知器７はその上部に六角部７５と六角部７５と一体に形成されたネジ部７７で構成されている。また水位検知器カバー８０は、上述の取付部８１の他に、水位検知器カバー８０の上部の内面側には、水位検知器カバー８０と一体に形成され、ネジ部７７と一体に形成された六角部７５と嵌合する六角周壁部８２、六角部７５上面に突き当たるリング状の突起部８３、および突起部８３の周縁に形成されるネジの締め付け方向に弾性を有する可変部８４とが形成されており、さらに水位検知器カバー８０の上部の外面側には、ネジ込まれた状態で六角ナット７６と嵌合する周壁部８５が形成されており、さらに周壁部８５内の中心部の周囲にはゴム等の弾性を有するＯリング等からなる弾性部材７６１が収納されている。
【００２８】
次に、本発明に係るネジ緩み止め手段を水位検知器カバー８０の取付けに適用した構成の詳細を図５ないし図８を用いて説明する。
図５において、図５（ａ）は水位検知器カバー８０の平面図、図５（ｂ）は水位検知器および水位検知器７の断面正面図、図５（ｃ）は水位検知器カバー８０がネジ止めされる部分ａを拡大して示した図である。
水位検知器カバー８０を水位検知器７にネジ止めするときは、まず、水位検知器７を水位検知器カバー８０の内側から挿入する。即ち、図５（ｃ）に示すように、水位検知器７と一体に構成される六角部７５をリング状の突起部８３に突き当たるまで挿入すると共に、六角部７５の外側を六角周壁部８２内に嵌合する。これによって、ネジ部７７は水位検知器カバー８０に対して回り止めされる。
【００２９】
なお、嵌合された六角部７５と六角周壁部８２との間には、後述する六角ナット７６の締め付けの際に六角周壁部８２に生じる歪みを吸収するために所定のクリアランスが設けられる。また、六角周壁部８２の高さは六角部７５が嵌合された際に、回らない程度の高さを有し、またリング状の突起部８３の高さＡは可変部８４との段差分の高さとする。
【００３０】
次に、弾性部材７６１の弾性に抗して六角ナット７６をネジ部７７にネジ込む。ここで、図示するように、周壁部Ｂの高さは、挟み込む弾性部材７６１の適正圧縮寸法と突起部８３の高さＡとの和となる。
【００３１】
なお、通常、水位検知器７を水位検知器カバー８０に取付けるような場合は、ガタ付き防止のためにナット側に、クッション効果を奏するＯリング等の弾性部材７６１を入れられる。
【００３２】
次に、さらに六角ナット７６がねじ込まれた状態を図６を用いて説明する。　図６においても、図６（ａ）は水位検知器カバー８０の平面図、図６（ｂ）は水位検知器および水位検知器７の断面正面図、図６（ｃ）は水位検知器カバーがネジ止めされる部分ｂを拡大して示した図である。
この時点では、図６（ｃ）に示すように、六角ナット７６はネジ込まれても弾性部材７６１を押圧して変形する程度である。そのため、六角ナット７６の６つの各角部が周壁部８５の上部を押圧することによって、周壁部８５の上部を押下するが、突起部８３の周縁に形成されている可変部８４を押下する状態には至っていない。
【００３３】
次に、さらに六角ナット７６がねじ込また状態を図７を用いて説明する。
図７においても、図７（ａ）は水位検知器カバー８０の平面図、図７（ｂ）は水位検知器および水位検知器７の断面正面図、図７（ｃ）は水位検知器カバーがネジ止めされる部分ｃを拡大して示した図である。
この時点では、六角ナット７６がねじ込まれ、図７（ａ）に示すように、六角ナット７６の６つの各角部が周壁部８５の上部を押圧している状態にあり、図７（ｃ）に示すように、六角ナット７６は弾性部材７６１を押圧してより一層変形した状態を呈すると共に、六角ナット７６は突起部８３の周縁に形成されている可変部８４を押圧し、可変部８４は下方に押下された変形した状態を呈している。
【００３４】
次に、さらにナット７６がねじ込まれる状態を図８を用いて説明する。
図８においても、図８（ａ）は水位検知器カバー８０の平面図、図８（ｂ）は水位検知器および水位検知器７の断面正面図、図８（ｃ）は水位検知器カバーがネジ止めされる部分ｄを拡大して示した図である。
この時点では、六角ナット７６がねじ込まれ、図８（ａ）に示すように、六角ナットの６つの各角部は周壁部８５の６つの各角部と位置が一致した状態にある。この状態に至ると、図８（ｃ）に示すように、突起部８３の周縁の可変部８４の変形が上方に解放されるため、周壁部８５の上面が六角ナット７６の下面より高さＣ突出する。そのため、六角ナット７６の外側は周壁部８５の内側に嵌合された状態となり、六角ナット７６の緩みが防止される。
【００３５】
なお、本実施形態では弾性部材７６１の適正圧縮寸法が約１ｍｍ、ネジ部７７がＭ８、ネジピッチが１．２５ｍｍ（ＪＩＳ標準）のものを用いた。従って、六角ナット７６を締め込んでいくと、１／６周ナットが回ると約０．２１ｍｍ締め込まれる。六角ナット７６の各角部が周壁部８５の上面を締め込む方向で接触した場合、次に六角ナット７６の各角部が周壁部８５の上面を同配置まで締め込めば、ネジ部７７は最大で約０．２１ｍｍナット側に引き出されて締め込まれる。その分リング状の突起部８３はネジ部７７押されて六角ナット７６側に引かれる。要するに寸法Ａ＝０．２１（Ｍ８標準ネジ、六角ナットの場合）が条件となる。次に、六角ナット７６の各角部が周壁部８５の各角部と同配置になったときは、突起部８３の周囲の可変部８４の変形が解除されて、押下されていた周壁部８５が元に戻る。その際の戻り分Ｃは０．１〜０．２ｍｍとなり、六角ナット７６は周壁部８５内に入り込み嵌合状態となる。
【００３６】
この入り込んだ後の深さをＯリングからなる弾性部材７６１の適正圧縮寸法（約１ｍｍ）とし、Ａ＝０．２１ｍｍとすると、Ｂ＝弾性部材の適正圧縮寸法＋０．２１ｍｍ＝１．２１となる。
【００３７】
この段差Ｃによって六角ナット７６は締め込む方向は勿論のこと、緩む方向にも段差Ｃをを越えなければ回らないことになる。
【００３８】
このように、本実施形態の発明によれば、ナットをロックする作業が無くなり、従来の塗布量の管理やボンドの有効期限の管理や締付トルクの管理等が不要となり、作業工数の削減を図ることが可能となる。
【００３９】
図９および図１０は、上記実施形態の図５（ａ）等に示した周壁部８５の形状と異なる形状を有する周壁部８５の構成を示す図である。
図５（ａ）に示した周壁部８５は、六角ナット７６と相似の形状を有する六角状に形成したが、このような形状に限定されず、図９および図１０に示すように、少なくとも６つの各角部は残すが、６辺のうち２辺ないし３辺を切欠くように構成してもその効力は変わらない。
【００４０】
図１１は本実施形態に係る水位検知器カバー８０を示す図であり、図１１（ａ）は左側側面図、図１１（ｂ）は平面図、図１１（ｃ）は正面図、図１１（ｄ）は底面図、図１１（ｅ）は右側側面図、図１１（ｆ）は背面図である。
これらの図に示すように、水位検知器カバー８０の側部に設けられ、空気調和機用排水ポンプのポンプ部２に取付けるための取付部８１は、図示するように、ポンプ部２と係合するための取付部８１の係合部８１１を３カ所設ける。これによって、水位検知器カバー８０をポンプ部２に強固に取付けることが可能となる。
【００４１】
図１２は、図１１に示したものと異なる形状を有する水位検知器カバー８０を示す図であり、図１２（ａ）は平面図、図１２（ｂ）は側面図である。
これらの図に示すように、水位検知器カバー８０の側部、ここでは取付部８１の側部にフック部８１２を設ける。
これによって、図２に示す水位検知器付き排水ポンプ１において、水位検知器用電線７１を直接ブラケット６に配線するのではなくて、水位検知器カバー８０から出た水位検知器用電線７１をフック部８１２にて一旦引っ掛けた後にブラケット６に配線するようにする。このように配線することにより、水位検知器用電線７１に付着した水滴をフック部８１２付近に導くことができ、水位検知器カバー８０上部に落下する水滴を防ぐことができる。
【００４２】
【発明の効果】
請求項１に記載の発明によれば、ネジ緩み止め手段として、ナットと嵌合可能に形成されナットを回り止めする周壁部と、該周壁部の下部に形成され、ネジ込む方向に弾性を有する弾性部とで構成すると共に、前記周壁部内のネジ部の周囲に、前記ナットによって締め付けられる弾性部材を配置したので、ネジ込み後ナットが周壁部に嵌合され引っ掛かった状態になるので、ナットを緩まないようにすることができ、また、弾性部材をナットで挟み込むようにしたので、締め付け後のがたつきを防止することができ、組み上げた状態では圧縮荷重が掛からないないので、捻れや切れを防止することができる。
【００４３】
請求項２に記載の発明によれば、請求項１に記載の発明において、前記弾性部の下部に形成され、前記ネジ部と一体に形成された多角部と嵌合する多角周壁部で構成したので、簡便な方法で多角周壁部と一体に構成された周壁部や弾性部をネジ部に固定することが可能となる。
【００４４】
請求項３に記載の発明によれば、請求項１または請求項２に記載の発明において、前記周壁部および前記弾性部を樹脂で構成したので、本発明に係るネジ緩み止め手段を簡便な構成で実現することが可能となる。
【００４５】
請求項４に記載の発明によれば、請求項２または請求項３に記載の発明において、前記弾性部は、前記多角部と対向する位置に配置される突起部と、該突起部の周縁に形成され、ネジ込む方向に弾性的に可変する可変部とで構成したので、本発明のネジ緩み止め手段として主要な機能を奏する突起部と可変部を弾性部として簡便に構成することが可能となる。
【００４６】
請求項５に記載の発明によれば、請求項１ないし請求項５のいずれか１つの請求項に記載の発明において、前記弾性部材をＯリングで構成したので、弾性部材を簡便な部材で容易に実現することが可能となる。
【００４７】
請求項６に記載の発明によれば、請求項１ないし請求項５のいずれか１つの請求項に記載のネジ緩み止め手段を水位検知器カバーの取付けに用いたので、水位検知器カバーの緩みを確実に防止することができる。
【００４８】
請求項７に記載の発明によれば、排水ポンプとして、請求項１ないし請求項５のいずれか１つの請求項に記載のネジ緩み止め手段を水位検知器カバーの取付けに用いた水位検知器を備えるようにしたので、水位検知器カバーの緩みを確実に防止することができるので、排水ポンプにおける水位検知器としての機能を十分果たすことが可能となる。
【図面の簡単な説明】
【図１】本発明に係る水位検知器付き排水ポンプの全体構成を示す平面図である。
【図２】本発明に係る水位検知器付き排水ポンプの全体構成を示す正面図である。
【図３】本発明に係る水位検知器付き排水ポンプの全体構成を示す底面図である。
【図４】図２に示す水位検知器カバー８０を水位検知器７に取付ける部分を分解して示した拡大図である。
【図５】図２に示した水位検知器カバー８０の平面図、水位検知器および水位検知器７の断面正面図、および水位検知器カバー８０がネジ止めされる部分ａを拡大して示した図である。
【図６】図２に示した水位検知器カバー８０の平面図、水位検知器および水位検知器７の断面正面図、および水位検知器カバー８０がネジ止めされる部分ｂを拡大して示した図である。
【図７】図２に示した水位検知器カバー８０の平面図、水位検知器および水位検知器７の断面正面図、および水位検知器カバー８０がネジ止めされる部分ｃを拡大して示した図である。
【図８】図２に示した水位検知器カバー８０の平面図、水位検知器および水位検知器７の断面正面図、および水位検知器カバー８０がネジ止めされる部分ｄを拡大して示した図である。
【図９】図５（ａ）等に示した周壁部８５の形状と異なる形状を有する周壁部８５の構成を示す図である。
【図１０】図５（ａ）等に示した周壁部８５の形状と異なる形状を有する周壁部８５の構成を示す図である。
【図１１】本実施形態に係る水位検知器カバー８０の、左側側面図、平面図、正面図、底面図、右側側面図、および背面図を示す図である。
【図１２】図１１に示したものと異なる形状を有する水位検知器カバー８０の平面図、および側面図を示す図である。
【図１３】従来技術に係る水位検知器付き空気調和機用排水ポンプの全体構成を示す図である。
【図１４】図１３に示す取付板７３および係合部７４の構成を拡大して示した、平面図、正面図、および側面図を示す図である。
【図１５】従来技術に係るネジ緩み防止方法を示す図である。
【図１６】従来技術に係るネジ緩み防止方法を示す図である。
【図１７】従来技術に係るネジ緩み防止方法を示す図である。
【図１８】従来技術に係るネジ緩み防止方法を示す図である。
【図１９】従来技術に係るネジ緩み防止方法を示す図である。
【符号の説明】
１　水位検知器付き排水ポンプ
２　ポンプ部
２１　ポンプ本体
２２　吸引口
２３　吐出口
２５　係合爪
３　ＤＣモータ部
３１　モータ本体
３２、３３　薄板製のカバー
６　ブラケット
７　水位検知器７
７１　水位検知器用電線
７２　水位検知器用コネクタ
７５　六角部
７６　六角ナット
７６１　弾性部材
７７　ネジ
８０　水位検知器カバー
８１　取付部
８１１　係合部
８１２　フック部
８２　六角周壁部
８３　突起部
８４　可変部
８５　周壁部
【図１】
2004011776.tif 000003
【図２】
2004011776.tif 000004
【図３】
2004011776.tif 000005
【図４】
2004011776.tif 000006
【図５】
2004011776.tif 000007
【図６】
2004011776.tif 000008
【図７】
2004011776.tif 000009
【図８】
2004011776.tif 000010
【図９】
2004011776.tif 000011
【図１０】
2004011776.tif 000012
【図１１】
2004011776.tif 000013
【図１２】
2004011776.tif 000014
【図１３】
2004011776.tif 000015
【図１４】
2004011776.tif 000016
【図１５】
2004011776.tif 000017
【図１６】
2004011776.tif 000018
【図１７】
2004011776.tif 000019
【図１８】
2004011776.tif 000020
【図１９】
2004011776.tif 000021